(57)【特許請求の範囲】
【請求項１】
路上に設置された路上機と車両に設置された車載機との間の路車間通信により提供される課金サービスで使用する車載機において、
車載機を利用するために必要な初期設定情報であるセットアップデータを記憶するための第一の記憶エリアと、
第一の記憶エリアにセットアップデータが登録されているかどうかを示すセットアップフラグを格納する第二の記憶エリアとを備え、
装着されたカード型記憶媒体に格納されている情報の種別を識別するカード内格納情報識別手段と、
第二の記憶エリアの状態、及びカード内格納情報識別手段の結果に従って、カード型記憶媒体から特定のデータを読み出すかどうかを決定し、カード型記憶媒体から読み出したデータを第一の記憶エリアへ書き込むためのデータ制御手段と、
データ制御手段の結果により、第二の記憶エリアの制御をするフラグ制御手段とを備えることを特徴とする料金徴収システムの車載機。
【請求項２】
路上に設置された路上機と車両に設置された車載機との間の路車間通信により提供される課金サービスで使用する車載機に装着するカード型記憶媒体において、
車載機に初期設定情報として登録されたセットアップデータを書き換えるための初期化データを格納する第三の記憶エリアと、
初期化データをカード型記憶媒体に格納していることを示す情報を格納する第四の記憶エリアとを少なくとも備えたカード型記憶媒体。
【請求項３】
請求項２のカード型記憶媒体は、接触式ICカードで構成されていることを特徴とする料金徴収システムのカード型記憶媒体。
【請求項４】
請求項２のカード型記憶媒体は、非接触式ICカードで構成されていることを特徴とする料金徴収システムのカード型記憶媒体。
【請求項５】
路上に設置された路上機と車両に設置された車載機との間の路車間通信により提供される課金サービスで使用する車載機に装着するカード型記憶媒体において、
車載機に初期設定情報として登録すべきセットアップデータを記憶する第五の記憶エリアと、
車載機に登録されたセットアップデータを全て書き換えるための初期化データを格納する第六の記憶エリアと、
セットアップデータ及び初期化データをカード型記憶媒体に格納していることを示す情報を格納する第七の記憶エリアとを少なくとも備えたカード型記憶媒体。
【請求項６】
請求項５のカード型記憶媒体は、接触式ICカードで構成されていることを特徴とする料金徴収システムのカード型記憶媒体。
【請求項７】
請求項５のカード型記憶媒体は、非接触式ICカードで構成されていることを特徴とする料金徴収システムのカード型記憶媒体。
【請求項８】
路上に設置された路上機と車両に設置された車載機との間の路車間通信により提供される課金サービスで使用する車載機において、
車載機を利用するために必要な初期設定情報であるセットアップデータを記憶するための第八の記憶エリアと、
第八の記憶エリアにセットアップデータが登録されているかどうかを示すセットアップフラグを格納する第九の記憶エリアとを備え、
装着されたカード型記憶媒体に格納されている情報の種別を識別するカード内格納情報識別手段と、
装着されたカード型記憶媒体に格納された特定のデータに対するアクセスを可能とするか否かを決定するための符号照合を制御する符号照合制御手段と、
第九の記憶エリアの状態、及びカード内格納情報識別手段の結果に従って、カード型記憶媒体から特定のデータを読み出すかどうかを決定し、符号照合制御手段の結果に従ってカード型記憶媒体からデータを読み出して、読み出したデータを第八の記憶エリアへ書き込むためのデータ制御手段と、
データ制御手段の結果により、第九の記憶エリアの制御をするフラグ制御手段とを備えることを特徴とする料金徴収システムの車載機。
【請求項９】
路上に設置された路上機と車両に設置された車載機との間の路車間通信により提供される課金サービスで使用する車載機に装着するカード型記憶媒体において、
車載機に初期設定情報として登録されたセットアップデータを書き換えるための初期化データを格納する第十の記憶エリアと、
第十の記憶エリアに格納されたデータに対し、車載機からのアクセスが可能か否かを決定するために行う符号照合に用いる初期化符号を格納する第十一の記憶エリアと、
初期化データをカード型記憶媒体に格納していることを示す情報を格納する第十二の記憶エリアとを少なくとも備えたカード型記憶媒体。
【請求項１０】
請求項９のカード型記憶媒体は、接触式ICカードで構成されていることを特徴とする料金徴収システムのカード型記憶媒体。
【請求項１１】
請求項９のカード型記憶媒体は、非接触式ICカードで構成されていることを特徴とする料金徴収システムのカード型記憶媒体。
【請求項１２】
路上に設置された路上機と車両に設置された車載機との間の路車間通信により提供される課金サービスで使用する車載機に装着するカード型記憶媒体において、
車載機に初期設定情報として登録すべきセットアップデータを記憶する第十三の記憶エリアと、
第十三の記憶エリアに格納されたデータへのアクセスが可能か否かを決定するために行う符号照合に用いるセットアップ符号を記憶する第十四の記憶エリアと、
車載機に登録されたセットアップデータを全て書き換えるための初期化データを格納する第十五の記憶エリアと、
第十五の記憶エリアに格納されたデータへのアクセスが可能か否かを決定するために行う符号照合に用いる初期化符号を格納する第十六の記憶エリアと、
セットアップデータ及び初期化データをカード型記憶媒体に格納していることを示す情報を格納する第十七の記憶エリアとを少なくとも備えたカード型記憶媒体。
【請求項１３】
請求項１２のカード型記憶媒体は、接触式ICカードで構成されていることを特徴とする料金徴収システムのカード型記憶媒体。
【請求項１４】
請求項１２のカード型記憶媒体は、非接触式ICカードで構成されていることを特徴とする料金徴収システムのカード型記憶媒体。
【発明の詳細な説明】
【０００１】
【発明の属する技術分野】
本発明は、高度道路交通システム(Intelligent Transport Systems:ITS)の一環である料金徴収システムの車載機及びカード型記憶媒体であって、車載機メーカが車載機の動作テストを行った後、車載機の初期設定情報であるセットアップデータを消去して車載機を初期化状態にするためのシステムに関する。
【０００２】
【従来の技術】
渋滞緩和、利用者サービスの向上、運用コスト削減等の目的から、高度道路交通システム(Intelligent Transport Systems:ITS)の実現に向けて開発が行われている。このITSの一環として、路上に設置された路上機と車両に設置された車載機との間で路車間通信を行い、利用料金を徴収する料金徴収システムが検討されている。
これは入口、出口等のゲートに配置された路上機と通行車側に設置された車載機との間で通信を行い利用料金を徴収するというものである。
車載機はICカード処理機能を持っており、利用者は料金徴収システムのアプリケーションを搭載したICカードを用いて、サービスが利用できる。
【０００３】
本システムを開発するうえで、開発者が特に注意を払わなければならないのは、不正利用対策である。これまで有人の料金所で行ってきた料金徴収処理は、無人の料金所システムで処理することになる。また、サービス利用に関する情報は、電子的なデータでやりとりされる。そのため、データの盗聴や改ざんによる不正行為には注意して対策しなければならない。
有料道路での通行車両に対する課金は、車両の大きさ（普通乗用車や大型車等）による違いや通行区間等により異なる。また、課金情報は電子的なデータとして処理される。このため通行車両の車載機には、車載機固有の情報、通信データの暗復号のための情報等が予め必要である。サービスを利用するためには、それらセキュリティ性の高い情報（データ）をセットアップデータとして車載機に初期登録しておく必要がある。
【０００４】
しかしながら、車載機製造時に予めセットアップデータを登録することは、セキュリティ上問題がある。セットアップデータはセキュリティ性の高いものであるため、利用者自身が車載機へセットアップデータを登録するのが望ましく現実的である。
このセットアップデータの登録方法については、その専用機能を持つICカードが媒体となる。一旦車載機に正常登録したセットアップデータは、利用者自ら再登録は出来ない。
先ず、一度セットアップデータの登録に使用したICカードは、セットアップデータ格納領域が閉塞されるため、利用者自身ではそのセットアップデータを読み出すことができない。
更に、車載機内部には、セットアップデータが登録されているか否かを判別するためのフラグ（以下、セットアップフラグと呼ぶ）がある。もし、セットアップデータを再登録しようとしても、セットアップデータが既に登録されているということをセットアップフラグが示していれば、車載機はセットアップデータの再登録を拒否する仕組みである。
【０００５】
【発明が解決しようとする課題】
車載機メーカでは、製造した車載機を出荷前に動作テストする必要がある。車載機メーカにおいて車載機の動作テストを行う際には、テスト用にセットアップデータを車載機に登録してテストを行わなければならない。更に、動作テストを行った車載機を出荷するためには、テスト終了後にテスト用に登録したセットアップデータを消去し、車載機を初期化した状態にしなければならない。
【０００６】
しかしながら、この車載機メーカでのセットアップデータの取り扱いについては未だ、公的な規定はない。
単純な考えとしては、セットアップデータを初期化するためには、セットアップデータを初期化データで上書きすればよい。しかし、その場合、セットアップフラグはセットアップデータが登録されていることを示しているため、その状態では上書きは出来ない。
また、セットアップデータを初期化データで上書き出来たとしても、データを書き込むという処理のみに対してセットアップフラグが制御されていれば、セットアップフラグは変化せず、セットアップデータが登録されているということを示したままという可能性がある。
【０００７】
本発明での目的は、車載機メーカ内で車載機にセットアップデータを登録して動作テストを行った後に、セットアップデータを消去し、セットアップフラグがセットアップデータが登録されていないことを示すようにすること、即ち車載機を初期化できるようにすることである。
【０００８】
【課題を解決するための手段】
上記目的は、
路上に設置された路上機と車両に設置された車載機との間の路車間通信により提供される課金サービスで使用する車載機において、
車載機を利用するために必要な初期設定情報であるセットアップデータを記憶するための第一の記憶エリアと、
第一の記憶エリアにセットアップデータが登録されているかどうかを示すセットアップフラグを格納する第二の記憶エリアとを設け、
装着されたカード型記憶媒体に格納されている情報の種別を識別するカード内格納情報識別手段と、
第二の記憶エリアの状態、及びカード内格納情報識別手段の結果により、カード型記憶媒体からデータを読み出すかどうかを決定し、第一の記憶エリアへデータを書き込むためのデータ制御手段と、
データ制御手段の結果により、第二の記憶エリアの制御をするフラグ制御手段とを設け、
更に、路上に設置された路上機と車両に設置された車載機との間の路車間通信により提供される課金サービスで使用する車載機に装着するカード型記憶媒体において、
車載機に初期設定情報として登録されたセットアップデータを書き換えるための初期化データを格納する第三の記憶エリアと、
初期化データを格納していることを示す情報を格納する第四の記憶エリアとを設け、
また、セットアップデータの初期化を不用意に行わないために、
路上に設置された路上機と車両に設置された車載機との間の路車間通信により提供される課金サービスで使用する車載機において、
車載機を利用するために必要な初期設定情報であるセットアップデータを記憶するための第八の記憶エリアと、
第八の記憶エリアにセットアップデータが登録されているかどうかを示すセットアップフラグを格納する第九の記憶エリアとを設け、
装着されたカード型記憶媒体に格納されている情報の種別を識別するカード内格納情報識別手段と、
装着されたカード型記憶媒体に格納されたデータに対するアクセスを可能とするか否かを決定するための符号照合を制御する符号照合制御手段と、
第九の記憶エリアの状態、及びカード内格納情報識別手段の結果により、カード型記憶媒体から特定のデータを読み出すかどうかを決定し、符号照合制御手段の結果により、カード型記憶媒体から読み出したデータを第八の記憶エリアへ書き込むためのデータ制御手段と、
データ制御手段の結果により、第九の記憶エリアの制御をするフラグ制御手段とを設け、
更に、路上に設置された路上機と車両に設置された車載機との間の路車間通信により提供される課金サービスで使用する車載機に装着するカード型記憶媒体において、
車載機に初期設定情報として登録されたセットアップデータを書き換えるための初期化データを格納する第十の記憶エリアと、
第十の記憶エリアに格納されたデータに対し、車載機からのアクセスが可能か否かを決定するために行う符号照合に用いる初期化符号を格納する第十一の記憶エリアと、
初期化データをカード型記憶媒体に格納していることを示す情報を格納する第十二の記憶エリアとを設けることにより達成される。
【０００９】
路上に設置された路上機と車両に設置された車載機との間の路車間通信により提供される課金サービスで使用する車載機において、
第一の記憶エリアは、車載機を利用するために必要な初期設定情報であるセットアップデータを記憶するように動作し、
第二の記憶エリアは、第一の記憶エリアにセットアップデータが登録されているかどうかを示すセットアップフラグを格納するように動作し、
カード内格納情報識別手段は、装着されたカード型記憶媒体に格納されている情報の種別を識別するように動作し、
データ制御手段は、第二の記憶エリアの状態、及びカード内格納情報識別手段の結果により、カード型記憶媒体からデータを読み出すかどうかを決定し、第一の記憶エリアへデータを書き込むように動作し、
フラグ制御手段は、データ制御手段の結果により、第二の記憶エリアの制御をするように動作し、
更に、路上に設置された路上機と車両に設置された車載機との間の路車間通信により提供される課金サービスで使用する車載機に装着するカード型記憶媒体において、
第三の記憶エリアは、車載機に初期設定情報として登録されたセットアップデータを書き換えるための初期化データを格納するように動作し、
第四の記憶エリアは、初期化データを格納していることを示す情報を格納するように動作し、
また、セットアップデータの初期化を不用意に行わないために、
路上に設置された路上機と車両に設置された車載機との間の路車間通信により提供される課金サービスで使用する車載機において、
第八の記憶エリアは、車載機を利用するために必要な初期設定情報であるセットアップデータを記憶するように動作し、
第九の記憶エリアは、第八の記憶エリアにセットアップデータが登録されているかどうかを示すセットアップフラグを格納するように動作し、
カード内格納情報識別手段は、装着されたカード型記憶媒体に格納されている情報の種別を識別するように動作し、
符号照合制御手段は、装着されたカード型記憶媒体に格納されたデータに対するアクセスを可能とするか否かを決定するための符号照合を制御するように動作し、
データ制御手段は、第九の記憶エリアの状態、及びカード内格納情報識別手段の結果により、カード型記憶媒体から特定のデータを読み出すかどうかを決定し、符号照合制御手段の結果により、カード型記憶媒体から読み出したデータを第八の記憶エリアへ書き込むように動作し、
フラグ制御手段は、データ制御手段の結果により、第九の記憶エリアの制御をするように動作し、
更に、路上に設置された路上機と車両に設置された車載機との間の路車間通信により提供される課金サービスで使用する車載機に装着するカード型記憶媒体において、
第十の記憶エリアは、車載機に初期設定情報として登録されたセットアップデータを書き換えるための初期化データを格納するように動作し、
第十一の記憶エリアは、第十の記憶エリアに格納されたデータに対し、車載機からのアクセスが可能か否かを決定するために行う符号照合に用いる初期化符号を格納するように動作し、
第十二の記憶エリアは、初期化データをカード型記憶媒体に格納していることを示す情報を格納するように動作する。
【００１０】
【発明の実施の形態】
図１は本発明による料金徴収システムの車載機及びカード型記憶媒体の第一の実施例の構成を示すブロック図である。
1は車載機、2はカード型記憶媒体、3は記憶メモリ、4は車載機セットアップデータ記憶設定領域、5はセットアップフラグ、6は車載機側制御部、10はカード検出部、11は車載機側I/F、12はカード側I/F、13はカード側制御部、14は記憶メモリ、15は車載機初期化データ、16はカード内格納情報、37は全体制御部、38はカード内格納情報識別部、39は書き込み制御部、40はフラグ制御部である。
【００１１】
次に各部の動作を説明する。車載機１は料金徴収システムにおいて路車間通信により提供される課金サービスを利用するために自動車に搭載される。また、車載機１は車載機メーカにおいて製造され、出荷する前に動作テストが行われる。そのため予めテスト用に必要な初期設定情報、即ちセットアップデータが車載機セットアップデータ記憶設定領域4に登録されているものとする。
カード型記憶媒体２は車載機１に装着され使用される。また、カード型記憶媒体2は、車載機１に登録されたセットアップデータを書き換えるための車載機初期化データ15、及び、カード型記憶媒体2内に車載機初期化データ15が存在することを示す情報であるカード内格納情報16とを格納している。
記憶メモリ3は車載機セットアップデータ記憶設定領域4及びセットアップフラグ5を含み、電源供給が遮断しても記憶されているデータは消えない構造となっている。
車載機セットアップデータ記憶設定領域4は通常、車載機1を使用するうえで初期設定情報として必要なセットアップデータを格納する領域であり、またカード型記憶媒体２から読み込んだ車載機初期化データ15でセットアップデータを書き換える領域でもある。
【００１２】
セットアップフラグ5は車載機セットアップデータ記憶設定領域4にセットアップデータが記憶されている場合に、それを示す状態（例えば"1"）となり、セットアップデータが記憶されていない場合に、それを示す状態（例えば"0"）となる。
【００１３】
車載機側制御部6は少なくとも、全体制御部37、カード内格納情報識別部38、書き込み制御部39、フラグ制御部40を含み、全体制御部37が車載機側制御部6の全体制御を行う。
全体制御部37は、車載機側動作の全体を制御し、例えば全体を制御するためのCPUであってもよい。
【００１４】
カード内格納情報識別部38は、全体制御部37がカード型記憶媒体2から読み込んだカード内格納情報16から、カード型記憶媒体2に格納された情報の種別を識別する。
書き込み制御部39は、全体制御部37がセットアップフラグ５の状態及びカード内格納情報識別部38の動作結果から判断して、カード型記憶媒体2から読み出した車載機初期化データ15を、車載機セットアップデータ記憶設定領域4に書き込むように動作する。
フラグ制御部40は、書き込み制御部39の動作結果により、セットアップフラグ5の状態を制御する。
ここで、カード内格納情報識別部38、書き込み制御部39、及びフラグ制御部40は、例えば全体制御部37上で動作するソフトウエアプログラムであってもよい。
【００１５】
カード検出部10は、カード型記憶媒体2が車載機１に装着されたことを検出し、全体制御部37に知らせる。
【００１６】
車載機側I/F11は装着される様々なカード型記憶媒体やカード型記憶媒体２に対する車載機１側のインターフェイスを構成し、データI/O端子、電源端子、GND端子、リセット端子等を含む。
カード側I/F12は車載機１に対するカード型記憶媒体２側のインターフェイスを構成し、車載機側I/F11に対応してデータI/O端子、電源端子、GND端子、リセット端子等を含む。
カード側制御部13は、車載機1からの命令に従い、カード型記憶媒体2内の制御を行う。
記憶メモリ14は、車載機初期化データ15及びカード内格納情報16を含み、カード型記憶媒体2への電源が遮断されても消えない構造となっている。
【００１７】
車載機初期化データ15はセットアップデータを書き換えるデータである。
【００１８】
カード内格納情報16はカード型記憶媒体2内にどのようなデータが格納されているかを示す情報である。
【００１９】
続いて全体の動作説明をする。車載機メーカにおいて車載機を製造し、出荷前の動作テストを行うためには、通常はユーザが行うべきセットアップデータの登録をテスト用に車載機メーカ側で行わなければならない。また、動作テスト終了後はセットアップデータを消去して初期化状態にする必要がある。本発明による第一の実施例では、動作テスト用にセットアップデータが既に登録してある車載機を初期化状態にする手段を示す。
【００２０】
カード型記憶媒体２が車載機１に装着されると、車載機側I/F11とカード側I/F12が接続され、カード検出部10はカード型記憶媒体２が装着されたことを検出して全体制御部37に信号を送る。
全体制御部37は車載機側I/F11を通じてカード型記憶媒体2を活性化し、カード内格納情報16を読み出す。
全体制御部37はセットアップフラグ5の状態から、車載機セットアップデータ記憶設定領域4に既にセットアップデータが登録されていることを認識する。
【００２１】
また、全体制御部37は、カード型記憶媒体2から、カード内格納情報16を読み出す。読み出されたカード内格納情報16は、カード内格納情報識別部38により解析され、その結果により、全体制御部37は、カード型記憶媒体2が車載機初期化データ15を含むことを知る。
【００２２】
車載機セットアップデータ記憶設定領域4にセットアップデータが登録されていること、及び装着されたカード型記憶媒体2が初期化データを含むこと、という条件がそろったとき、全体制御部37はセットアップデータ記憶設定領域4を初期化するための動作を開始する。
全体制御部37は、カード型記憶媒体2に格納された車載機初期化データ15を読み出し、書き込み制御部39の制御により、車載機セットアップデータ記憶設定領域4に車載機初期化データ15の書き込み動作を行う。この動作により、車載機セットアップデータ記憶設定領域4に記憶されていたセットアップデータは初期化データ15に全て書き換えられる。
【００２３】
車載機セットアップデータ記憶設定領域4への車載機初期化データ15の書き込みが全て正常に終了すると、全体制御部37は、フラグ制御部40に対して、車載機初期化データ15の書き込みが正常に終了したことを通知する。
フラグ制御部40は、セットアップフラグ5を、車載機セットアップデータ記憶設定領域4が初期化されていることを示すようにする。
以上の動作により、車載機1の初期化は正常に終了する。
【００２４】
本実施例によれば、車載機１のセットアップフラグ5の状態、及びカード内格納情報識別部38によるカード型記憶媒体2内のデータ格納情報により、車載機１はカード型記憶媒体2を初期化カードであると認識し、カード型記憶媒体2から車載機初期化データ15を読み出して、車載機セットアップデータ記憶設定領域4に書き込みを行うことができる。さらに、車載機初期化データ15を車載機セットアップデータ記憶設定領域4に書き込んだ場合のみ、セットアップフラグ5を、車載機セットアップデータ記憶設定領域4が初期化されていることを示すように変更することができる。
【００２５】
図２は本発明による料金徴収システムの車載機及びカード型記憶媒体の第二の実施例の構成を示すブロック図である。
1は車載機、2はカード型記憶媒体、3は記憶メモリ、4は車載機セットアップデータ記憶設定領域、5はセットアップフラグ、6は車載機側制御部、7はカード内格納情報識別部、8はフラグ制御部、9はデータ制御部、10はカード検出部、11は車載機側I/F、12はカード側I/F、13はカード側制御部、14は記憶メモリ、15は車載機初期化データ、16はカード内格納情報である。
【００２６】
次に各部の動作を説明する。車載機１は料金徴収システムにおいて路車間通信により提供される課金サービスを利用するために自動車に搭載される。また、車載機１は車載機メーカにおいて製造され、出荷する前に動作テストが行われる。そのため予めテスト用に必要な初期設定情報、即ちセットアップデータが車載機セットアップデータ記憶設定領域4に登録されているものとする。
カード型記憶媒体２は車載機１に装着され使用される。また、カード型記憶媒体2は、車載機１に登録されたセットアップデータを書き換えるための車載機初期化データ15、及び、カード型記憶媒体2内に車載機初期化データ15が存在することを示す情報であるカード内格納情報16とを格納している。
記憶メモリ3は車載機セットアップデータ記憶設定領域4及びセットアップフラグ5を含み、電源供給が遮断しても記憶されているデータは消えない構造となっている。
【００２７】
車載機セットアップデータ記憶設定領域4は通常、車載機1を使用するうえで初期設定情報として必要なセットアップデータを格納する領域であり、またカード型記憶媒体２から読み込んだ車載機初期化データ15でセットアップデータを書き換える領域でもある。
セットアップフラグ5は車載機セットアップデータ記憶設定領域4にセットアップデータが記憶されている場合に、それを示す状態（例えば"1"）となり、セットアップデータが記憶されていない場合に、それを示す状態（例えば"0"）となる。
車載機側制御部6は少なくとも、カード内格納情報識別部7、フラグ制御部8、及びデータ制御部9を含み、車載機1の動作全体の制御を行う。
カード内格納情報識別部7は、カード型記憶媒体2から読み込んだカード内格納情報16から、カード型記憶媒体2に格納された情報の種別を識別する。
フラグ制御部8は、セットアップフラグ5の状態をデータ制御部9に伝達したり、セットアップフラグ5の状態を、データ制御部9からの命令で変化させる。
データ制御部9は、カード型記憶媒体2との間の通信データの制御、及び、車載機セットアップデータ記憶設定領域4を始めとする車載機1内部のメモリに対するデータの制御を行う。
【００２８】
カード検出部10は、カード型記憶媒体2が車載機１に装着されたことを検出し、車載機側制御部6に知らせる。
車載機側I/F11は装着される様々なカード型記憶媒体やカード型記憶媒体２に対する車載機１側のインターフェイスを構成し、データI/O端子、電源端子、GND端子、リセット端子等を含む。
カード側I/F12は車載機１に対するカード型記憶媒体２側のインターフェイスを構成し、車載機側I/F11に対応してデータI/O端子、電源端子、GND端子、リセット端子等を含む。
カード側制御部13は、車載機1からの命令に従い、カード型記憶媒体2内の制御を行う。
記憶メモリ14は、車載機初期化データ15及びカード内格納情報16を含み、カード型記憶媒体2への電源が遮断されても消えない構造となっている。
車載機初期化データ15はセットアップデータを書き換えるデータである。
カード内格納情報16はカード型記憶媒体2内にどのようなデータが格納されているかを示す情報である。
【００２９】
続いて全体の動作説明をする。車載機メーカにおいて車載機を製造し、出荷前の動作テストを行うためには、通常はユーザが行うべきセットアップデータの登録をテスト用に車載機メーカ側で行わなければならない。また、動作テスト終了後はセットアップデータを消去して初期化状態にする必要がある。本発明による第二の実施例では、動作テスト用にセットアップデータが既に登録してある車載機を初期化状態にする手段を示す。
【００３０】
カード型記憶媒体２が車載機１に装着されると、車載機側I/F11とカード側I/F12が接続され、カード検出部10はカード型記憶媒体２が装着されたことを検出して車載機側制御部6に信号を送る。
車載機側制御部6はカード型記憶媒体2を活性化し、カード内格納情報16を読み出す。
データ制御部9はセットアップフラグ5の状態から、車載機セットアップデータ記憶設定領域4に既にセットアップデータが登録されていることを認識する。また、カード内格納情報16により、カード型記憶媒体2が初期化データを含むことを知るのでカード型記憶媒体2を初期化カードと認識する。
【００３１】
車載機セットアップデータ記憶設定領域4にセットアップデータが登録されていること、及び装着されたカード型記憶媒体2が初期化データを含むこと、という条件がそろったとき、車載機１はセットアップデータ記憶設定領域4を初期化するための動作を開始する。
データ制御部9は、カード型記憶媒体2に格納された車載機初期化データ15を読み出し、車載機セットアップデータ記憶設定領域4に書き込み動作を行う。この動作により、車載機セットアップデータ記憶設定領域4に記憶されていたセットアップデータは初期化データ15により全て書き換えられる。
車載機セットアップデータ記憶設定領域4への車載機初期化データ15の書き込みが全て正常に終了すると、データ制御部9は、フラグ制御部8に対して、車載機初期化データ15の書き込みが正常に終了したことを通知する。
フラグ制御部8は、セットアップフラグ5を、車載機セットアップデータ記憶設定領域4が初期化されていることを示すようにする。
【００３２】
以上の動作により、車載機1の初期化は正常に終了する。
本実施例によれば、車載機１のセットアップフラグ5の状態、及びカード内格納情報16の情報により、車載機１はカード型記憶媒体2を初期化カードであると認識し、カード型記憶媒体2から車載機初期化データ15を読み出して、車載機セットアップデータ記憶設定領域4に書き込みを行うことができる。さらに、車載機初期化データ15を車載機セットアップデータ記憶設定領域4に書き込んだ場合のみ、セットアップフラグ5を、車載機セットアップデータ記憶設定領域4が初期化されていることを示すように変更することができる。
【００３３】
図３は本発明による料金徴収システムの車載機及びカード型記憶媒体の第三の実施例の構成を示すブロック図である。
1は車載機であり、内部の構成要素は図２のものと同じである。
２はカード型記憶媒体であり、図２のものと異なるのは、記憶メモリ14内に車載機初期化データ15、カード内格納情報16の他に車載機セットアップデータ17を含むことである。
車載機セットアップデータ17は車載機セットアップデータ記憶設定領域4に書き込むべきセットアップデータである。
【００３４】
続いて全体動作の説明をする。第二の実施例と異なり、最初は車載機１の車載機セットアップデータ記憶設定領域4にはセットアップデータは書き込まれておらず、セットアップフラグ5もそのことを示すよう設定されている。即ち、第三の実施例では、車載機メーカにおいて、車載機に対し、動作テスト用にセットアップデータを登録し、動作テスト終了後に初期化する手段を示すものである。
カード型記憶媒体2が車載機1に装着されると、車載機側I/F11とカード側I/F12が接続され、カード検出部10はカード型記憶媒体２が装着されたことを検出して車載機側制御部6に信号を送る。
車載機側制御部6はカード型記憶媒体2を活性化し、カード内格納情報16を読み出す。
データ制御部9はセットアップフラグ5の状態から、車載機セットアップデータ記憶設定領域4は初期化状態であると認識する。また、カード内格納情報16により、カード型記憶媒体2がセットアップデータを含むことを知るのでカード型記憶媒体2をセットアップカードと認識する。
【００３５】
車載機セットアップデータ記憶設定領域4は初期化されていること、及び装着されたカード型記憶媒体2がセットアップデータを含むこと、という条件がそろったとき、車載機１はセットアップデータ記憶設定領域4にセットアップデータを登録するための動作を開始する。
データ制御部9は、カード型記憶媒体2に格納された車載機セットアップデータ17を読み出し、車載機セットアップデータ記憶設定領域4に書き込み動作を行う。
車載機セットアップデータ記憶設定領域4への車載機セットアップデータ17の書き込みが全て正常に終了すると、データ制御部9は、フラグ制御部8に対して、車載機セットアップデータ17の書き込みが正常に終了したことを通知する。
フラグ制御部8は、セットアップフラグ5を、車載機セットアップデータ記憶設定領域4にセットアップデータが登録されていることを示すようにする。
以上の動作により、車載機1へのセットアップデータの登録は正常に終了する。
【００３６】
続いて、車載機メーカでの動作テスト終了後、車載機1を初期化する場合の実施例を説明する。
図３において、車載機セットアップデータ記憶設定領域4へのセットアップデータの登録が既に行われている状態で、カード型記憶媒体2が車載機1に装着されると、本発明の第二の実施例と同じ動作により、車載機1の初期化を行うことが出来る。
本実施例によれば、車載機メーカでの車載機の動作テストにおいて、カード型記憶媒体2のように車載機のセットアップカードと初期化カードの機能を併せ持つ媒体を用いて、それぞれのカードの機能を自動的に使い分けることができるため、動作テスト用にセットアップカードと初期化カードを別々に用意せずに済み、コストの節減を図ることができる。
【００３７】
図４は、本発明による料金徴収システムの車載機及びカード型記憶媒体の第四の実施例の構成を示すブロック図である。
1は車載機であり、内部の構成要素は、図２或いは図３のものに加え、PIN入力部18及び符号照合制御部19を含む。
２はカード型記憶媒体であり、内部の構成要素は、図２のものに加え、記憶メモリ14内に、車載機初期化データ15、カード内格納情報16の他に初期化符号20を含むことである。
PIN入力部18は、車載機1の外部インタフェースであり、車載機1を操作する者が直接PIN(Personal Identification Number)を入力する。これは、例えば10キーを装備したキーボードや或いはその他の手段であってもよい。
【００３８】
符号照合制御部19は、PIN入力部18から入力されたPINと、カード型記憶媒体2に格納された初期化符号20との符号照合を制御する。
初期化符号20は、車載機初期化データ15に対する車載機1からのアクセスを可能とするか否かを決定する符号照合に用いる符号である。
【００３９】
続いて全体動作の説明をする。車載機メーカにおいて車載機を製造し、出荷前の動作テストを行うためには、通常はユーザが行うべきセットアップデータの登録をテスト用に車載機メーカ側で行わなければならない。また、動作テスト終了後はセットアップデータを消去して初期化状態にする必要がある。本発明による第四の実施例では、本発明による第一、及び第二の実施例と同じく、動作テスト用にセットアップデータが既に登録してある車載機を初期化状態にする手段を示す。
【００４０】
カード型記憶媒体２が車載機１に装着されると、車載機側I/F11とカード側I/F12が接続され、カード検出部10はカード型記憶媒体２が装着されたことを検出して車載機側制御部6に信号を送る。
車載機側制御部6はカード型記憶媒体2を活性化し、カード内格納情報16を読み出す。
データ制御部9はセットアップフラグ5の状態から、車載機セットアップデータ記憶設定領域4に既にセットアップデータが登録されていることを認識する。また、カード内格納情報16により、カード型記憶媒体2が初期化データを含むことを知るのでカード型記憶媒体2を初期化カードと認識する。
【００４１】
車載機セットアップデータ記憶設定領域4にセットアップデータが登録されていること、及び装着されたカード型記憶媒体2が初期化データを含むこと、という条件がそろったとき、車載機１はセットアップデータ記憶設定領域4を初期化するための動作を開始する。
PIN入力部18は入力可能な状態となり、操作者はPIN入力部18よりPINを入力する。符号照合制御部19は、入力されたPINを、カード型記憶媒体2に格納された初期化符号20とカード型記憶媒体2内で符号照合するようコマンドを発行し、カード側制御部13は、コマンドと共に入力されたPINと、初期化符号20との符号照合をし、その結果を車載機1に通知する。符号照合の結果が一致であった場合、車載機初期化データ15に対するアクセスは車載機１から可能となり、データ制御部9は、カード型記憶媒体2に格納された車載機初期化データ15を読み出して、車載機セットアップデータ記憶設定領域4に書き込み動作を行う。この動作により、車載機セットアップデータ記憶設定領域4に記憶されていたセットアップデータは初期化データ15により全て書き換えられる。
【００４２】
符号照合の結果が、ある一定試行回数以上、全て不一致であった場合、車載機１は処理を中断する。
車載機セットアップデータ記憶設定領域4への車載機初期化データ15の書き込みが全て正常に終了すると、データ制御部9は、フラグ制御部8に対して、車載機初期化データ15の書き込みが正常に終了したことを通知する。
フラグ制御部8は、セットアップフラグ5を、車載機セットアップデータ記憶設定領域4が初期化されていることを示すようにする。
以上の動作により、車載機1の初期化は正常に終了する。
【００４３】
本実施例によれば、車載機１のセットアップフラグ5の状態、及びカード内格納情報16の情報により、車載機１はカード型記憶媒体2を初期化カードであると認識し、カード型記憶媒体2から車載機初期化データ15を読み出して、車載機セットアップデータ記憶設定領域4に書き込みを行うことができる。さらに、車載機初期化データ15を車載機セットアップデータ記憶設定領域4に書き込んだ場合のみ、セットアップフラグ5を、車載機セットアップデータ記憶設定領域4が初期化されていることを示すように変更することができる。
また、PIN入力手段により、不用意な車載機の初期化を防ぐことが可能である。
【００４４】
図５は本発明による料金徴収システムの車載機及びカード型記憶媒体の第五の実施例の構成を示すブロック図である。
1は車載機であり、内部の構成要素は図４のものと同じである。
２はカード型記憶媒体であり、図４のものと異なるのは、記憶メモリ14内に車載機初期化データ15、カード内格納情報16、初期化符号20の他に車載機セットアップデータ17、及びセットアップ符号21を含むことである。
車載機セットアップデータ17は車載機セットアップデータ記憶設定領域4に書き込むべきセットアップデータである。
セットアップ符号21は、車載機セットアップデータ17に対する車載機1からのアクセスを可能とするか否かを決定する符号照合に用いる符号である。
【００４５】
続いて全体動作の説明をする。本実施例では、最初、車載機１の車載機セットアップデータ記憶設定領域4にはセットアップデータは書き込まれておらず、セットアップフラグ5もそのことを示すよう設定されている。即ち、第五の実施例では、車載機メーカにおいて、車載機に対し、動作テスト用にセットアップデータを登録し、動作テスト終了後に初期化する手段を示すものである。
カード型記憶媒体2が車載機1に装着されると、車載機側I/F11とカード側I/F12が接続され、カード検出部10はカード型記憶媒体２が装着されたことを検出して車載機側制御部6に信号を送る。
車載機側制御部6はカード型記憶媒体2を活性化し、カード内格納情報16を読み出す。
データ制御部9はセットアップフラグ5の状態から、車載機セットアップデータ記憶設定領域4は初期化状態であると認識する。また、カード内格納情報16により、カード型記憶媒体2がセットアップデータを含むことを知るのでカード型記憶媒体2をセットアップカードと認識する。
【００４６】
車載機セットアップデータ記憶設定領域4は初期化されていること、及び装着されたカード型記憶媒体2がセットアップデータを含むこと、という条件がそろったとき、車載機１はセットアップデータ記憶設定領域4にセットアップデータを登録するための動作を開始する。
PIN入力部18は入力可能な状態となり、操作者はPIN入力部18よりPINを入力する。符号照合制御部19は、入力されたPINを、カード型記憶媒体2に格納されたセットアップ符号21とカード型記憶媒体2内で符号照合するようコマンドを発行し、カード側制御部13は、コマンドと共に入力されたPINと、セットアップ符号21との符号照合をし、その結果を車載機1に通知する。符号照合の結果が一致であった場合、車載機セットアップデータ17に対するアクセスは車載機１から可能となり、データ制御部9は、カード型記憶媒体2に格納された車載機セットアップデータ17を読み出して、車載機セットアップデータ記憶設定領域4に書き込み動作を行う。
【００４７】
符号照合の結果が、ある一定試行回数以上、全て不一致であった場合、車載機１は処理を中断する。
車載機セットアップデータ記憶設定領域4への車載機セットアップデータ17の書き込みが全て正常に終了すると、データ制御部9は、フラグ制御部8に対して、車載機セットアップデータ17の書き込みが正常に終了したことを通知する。
フラグ制御部8は、セットアップフラグ5を、車載機セットアップデータ記憶設定領域4にセットアップデータが登録されていることを示すようにする。
以上の動作により、車載機1へのセットアップデータの登録は正常に終了する。
【００４８】
続いて、車載機メーカでの動作テスト終了後、車載機1を初期化する場合の実施例を説明する。
図５において、車載機セットアップデータ記憶設定領域4へのセットアップデータの登録が既に行われている状態で、カード型記憶媒体2が車載機1に装着されると、本発明の第四の実施例と同じ動作により、車載機1の初期化を行うことが出来る。
【００４９】
本実施例によれば、車載機メーカでの車載機の動作テストにおいて、カード型記憶媒体2のように車載機のセットアップカードと初期化カードの機能を併せ持つ媒体を用いて、それぞれのカードの機能を自動的に使い分けることができるため、動作テスト用にセットアップカードと初期化カードを別々に用意せずに済み、コストの節減を図ることができる。
また、PIN入力手段により、不用意な車載機の初期化やセットアップを防ぐことが可能である。
【００５０】
図６は本発明の第四の実施例及び第五の実施例に適用されるフローである。22及び23で示されるPIN入力、照合処理を外せば、本発明の第一の実施例、第二の実施例、及び第三の実施例に適用することができる。
また、図７は本発明の第四の実施例に示されるようなカード型記憶媒体、即ち初期化専用のカードにおける格納データのファイル構造の例を示すものである。
なお、初期化符号27を外せば、本発明の第一の実施例、及び第二の実施例にも適用することができる。
24はMF（マスターファイル）、25はカード内格納情報、26は初期化DF、27は初期化符号、28は初期化データである。
MF24は、国際標準規格ISO/IEC7816-4で規定されるように、カード内の全てのファイルの根幹となる。
カード内格納情報25はカード内にどのようなアプリケーションデータがあるのかを示す情報ファイルである。例えば、そのデータ内容は初期化DF26に割り当てられたAID（アプリケーションID）やアプリケーションラベル等のDF（専用ファイル）を車載機が識別できるものであればよい。
【００５１】
初期化DF26は、車載機の初期化に関するデータを含むDFであり、初期化符号27及び初期化データ28を含む。
初期化符号27は、初期化データ28に対するアクセス権を獲得するための符号照合に使用される符号である。例えば、車載機から符号照合コマンドと共に送られてきたPINをICカードは初期化符号27と符号照合し、照合結果が一致であれば、車載機からの初期化データ28へのアクセスが可能となる。
初期化データ28はここでは、初期化データAから初期化データEまでの五つのファイルから構成され、これらの初期化データによって、車載機に登録されているセットアップデータは全て書き換えられる。また、初期化データ28は、料金徴収システムに関わる全てに対し、意味を持たないデータ内容とする。
【００５２】
図８は本発明の第五の実施例に示されるようなカード型記憶媒体、即ち初期化データとセットアップデータを含むカードにおける格納データのファイル構造の例を示すものである。
なお、セットアップ符号32及び初期化符号35を外せば、本発明の第三の実施例に適用することができる。
29はMF（マスターファイル）、30はカード内格納情報、31はセットアップDF、32はセットアップ符号、33はセットアップデータ、34は初期化DF、35は初期化符号、36は初期化データである。
MF29は、図７の例と同じく、カード内の全てのファイルの根幹となる。
カード内格納情報30は、カード内に存在するDF、即ちセットアップDF 31と初期化DF34が存在することを示す。
【００５３】
セットアップDF31は、車載機へのセットアップデータを含むDFである。
セットアップ符号32は、セットアップデータ33に対するアクセス権を獲得するための符号照合に使用される符号である。例えば車載機から符号照合コマンドと共に送られてきたPINをICカードはセットアップ符号32と符号照合し、照合結果が一致であれば、車載機からのセットアップデータ33へのアクセスが可能となる。
セットアップデータ33は、動作テスト用に車載機にセットアップされるデータである。
初期化DF35は、図７の例と同じく車載機の初期化に関するデータを含むDFであり、初期化符号35及び初期化データ36を含む。
初期化符号35は、初期化データ36に対するアクセス権を獲得するための符号照合に使用される符号である。
初期化データ36は、ここでは、初期化データAから初期化データEまでの五つのファイルから構成され、これらの初期化データによって、車載機に登録されているセットアップデータは全て書き換えられる。また、初期化データ36は、料金徴収システムに関わる全てに対し、意味を持たないデータ内容とする。
【００５４】
図７及び図８においては、初期化データ或いはセットアップデータはそれぞれ５つのファイルから構成される例を示している。このファイルの数、或いはICカードでのデータの格納方法については、車載機に確実にセットアップデータが登録できるもの、或いは、車載機に登録されているセットアップデータが確実に初期化データにより書換えられるものであれば、他の数のファイルで構成されてもよい。
【００５５】
【発明の効果】
路上に設置された路上機と車両に設置された車載機との間の路車間通信により提供される課金サービスで使用する車載機の動作テストを行う際に、
車載機が、内部にセットアップデータが登録さているかどうかを示すフラグと、装着されたカード型記憶媒体内のデータ格納情報とを参照することにより、
動作テスト用に登録されたセットアップデータを書き換えて初期化するか、或いは、
セットアップデータが登録されていない車載機にセットアップデータを登録するかを決定することができる。
また、セットアップデータと初期化データを一枚のカード型記憶媒体に格納することにより、セットアップカードと初期化カードを別々につくるよりも、カードの製造コストを削減できる。
【図面の簡単な説明】
【図１】本発明による料金徴収システムの車載機及びカード型記憶媒体の第一の実施例の全体構成を示すブロック図。
【図２】本発明による料金徴収システムの車載機及びカード型記憶媒体の第二の実施例の全体構成を示すブロック図。
【図３】本発明による料金徴収システムの車載機及びカード型記憶媒体の第三の実施例の全体構成を示すブロック図。
【図４】本発明による料金徴収システムの車載機及びカード型記憶媒体の第四の実施例の全体構成を示すブロック図。
【図５】本発明による料金徴収システムの車載機及びカード型記憶媒体の第五の実施例の全体構成を示すブロック図。
【図６】本発明による料金徴収システムの車載機及びカード型記憶媒体の第四及び第五の実施例の全体動作のフロー。
【図７】本発明による料金徴収システムの車載機及びカード型記憶媒体の第四の実施例で示されるカード型記憶媒体に格納されるファイル構造例。
【図８】本発明による料金徴収システムの車載機及びカード型記憶媒体の第五の実施例で示されるカード型記憶媒体に格納されるファイル構造例。
【符号の説明】
１・・・車載機、２・・・カード型記憶媒体、３・・・記憶メモリ、４・・・車載機セットアップデータ記憶設定領域（第四或いは第八の記憶エリア）、５・・・セットアップフラグ（第二或いは第九の記憶エリア）、６・・・車載機側制御部、７・・・カード内格納情報識別部、８・・・フラグ制御部、９・・・データ制御部、１０・・・カード検出部、１１・・・車載機側I/F、１２・・・カード側I/F、１３・・・カード側制御部、１４・・・記憶メモリ、１５・・・車載機初期化データ（第三或いは第六或いは第十或いは第十五の記憶エリア）、１６・・・カード内格納情報（第四或いは第七或いは第十二或いは第十七の記憶エリア）、１７・・・車載機セットアップデータ（第五或いは第十三の記憶エリア）、１８・・・PIN入力部、１９・・・符号照合制御部、２０・・・初期化符号（第十一或いは第十六の記憶エリア）、２１・・・セットアップ符号（第十四の記憶エリア）、２２・・・セットアップPIN入力、照合、２３・・・初期化PIN入力、照合のフロー、２４・・・MF(マスターファイル）、２５・・・カード内格納情報、２６・・・初期化ＤＦ（初期化専用ファイル）、２７・・・初期化符号、２８・・・初期化データ、２９・・・ＭＦ（マスターファイル）、３０・・・カード内格納情報、３１・・・セットアップＤＦ（セットアップ専用ファイル）、３２・・・セットアップ符号、３３・・・セットアップデータ、３４・・・初期化ＤＦ（初期化専用ファイル）、３５・・・初期化符号、３６・・・初期化データ、３７・・・全体制御部、３８・・・カード内格納情報識別部、３９・・・書き込み制御部、４０・・・フラグ制御部。
【図１】
0003736210.tif 000002
【図２】
0003736210.tif 000003
【図３】
0003736210.tif 000004
【図４】
0003736210.tif 000005
【図５】
0003736210.tif 000006
【図６】
0003736210.tif 000007
【図７】
0003736210.tif 000008
【図８】
0003736210.tif 000009